(57)【要約】【課題】従来よりも筐体の開閉についての利便性を向上させることができる電子機器を提供する。【解決手段】キーボード１５またはマウス１８の操作によりオペレーティングシステムからＣＰＵに対してノート型ＰＣの終了命令が出力されると、ＣＰＵはヒンジ駆動部に命令を出力し第１筐体１１および第２筐体１２を開状態から閉状態へさせるようヒンジ部１３をヒンジ駆動部に駆動させながらノート型ＰＣの終了処理を実行する。【選択図】図１
2008210181.tif 000002
【特許請求の範囲】
【請求項１】
回動自在に連結される２つの筐体と、前記２つの筐体を開閉させる開閉駆動部と、制御部と、電源スイッチと、を備え、
前記電源スイッチと異なる操作手段の操作によりオペレーティングシステムから前記制御部に対して電子機器の終了命令が出力されると、前記制御部は前記開閉駆動部に命令を出力し前記開閉駆動部に前記２つの筐体を開状態から閉状態へとさせながら電子機器の終了処理を実行することを特徴とする電子機器。
【請求項２】
回動自在に連結される２つの筐体と、前記２つの筐体を開閉させる開閉駆動部と、制御部と、を備え、
操作手段の操作によりオペレーティングシステムから前記制御部に対してスタンバイモード移行命令が出力されると、前記制御部は前記開閉駆動部に命令を出力し前記開閉駆動部に前記２つの筐体を開状態から閉状態へとさせながらスタンバイモード移行処理を実行することを特徴とする電子機器。
【請求項３】
表示部を備え、
前記制御部が前記２つの筐体を閉状態にするか否かをユーザに選択させるための表示を前記表示部にさせ、閉状態にすることが選択されてから、前記制御部は前記開閉駆動部に前記２つの筐体を開状態から閉状態へとさせることを特徴とする請求項１または請求項２に記載の電子機器。
【請求項４】
回動自在に連結される２つの筐体と、前記２つの筐体を開閉させる開閉駆動部と、制御部と、を備え、
操作手段の操作によりオペレーティングシステムから前記制御部に対してスタンバイモード解除命令が出力されると、前記制御部は前記開閉駆動部に命令を出力し前記開閉駆動部に前記２つの筐体を閉状態から開状態へとさせながらスタンバイモード解除処理を実行することを特徴とする電子機器。
【発明の詳細な説明】
【技術分野】
【０００１】
本発明は、回動自在に連結された２つの筐体を有する電子機器に関する。
【背景技術】
【０００２】
従来よりノート型ＰＣ（Ｐｅｒｓｏｎａｌ  Ｃｏｍｐｕｔｅｒ）は２つの筐体を有し、それらが回動自在に連結される構成をとっている。このようなノート型ＰＣを起動する場合、ユーザは片方の筐体を押さえながらもう片方の筐体を回動させて２つの筐体を閉状態から開状態としてから電源スイッチを操作しノート型ＰＣを起動させていた。また、ノート型ＰＣを終了させる場合、ユーザは電源スイッチを操作して終了処理をさせてから、片方の筐体を回動させて２つの筐体を開状態から閉状態としていた。このようなノート型ＰＣでは、起動および終了時に手動で筐体を開閉する必要がありユーザにとって煩わしいという問題がある。
【０００３】
そこで、特許文献１には、電源スイッチの操作により自動的に筐体が開閉するようなノート型ＰＣが開示されている。これによれば、ノート型ＰＣの起動および終了時に手動で筐体を開閉する必要がないのでユーザにとっての煩わしさが軽減される。
【特許文献１】特開平１０−２２２２４５号公報
【発明の開示】
【発明が解決しようとする課題】
【０００４】
しかし、上記特許文献１のノート型ＰＣでは、電源スイッチとは異なるキーボードやマウスなどの操作手段によるオペレーティングシステム操作によってノート型ＰＣに終了処理をさせる場合についてはなんら考慮されておらず、このような場合は手動で筐体を開状態から閉状態にする必要がありユーザにとって煩わしい。
【０００５】
また、上記特許文献１のノート型ＰＣでは、オペレーティングシステム操作によってスタンバイモードへ移行させる場合についてもなんら考慮されておらず、このような場合も手動で筐体を開状態から閉状態にする必要がありユーザにとって煩わしい。
【０００６】
また、上記特許文献１のノート型ＰＣでは、キーボードやマウスなどの操作手段の操作によってスタンバイモードを解除させる場合についてもなんら考慮されておらず、このような場合も手動で筐体を閉状態から開状態にする必要がありユーザにとって煩わしい。
【０００７】
上記問題点を鑑み、本発明は、従来よりも筐体の開閉についての利便性を向上させることができる電子機器を提供することを目的とする。
【課題を解決するための手段】
【０００８】
上記目的を達成するために本発明の電子機器は、回動自在に連結される２つの筐体と、前記２つの筐体を開閉させる開閉駆動部と、制御部と、電源スイッチと、を備え、
前記電源スイッチと異なる操作手段の操作によりオペレーティングシステムから前記制御部に対して電子機器の終了命令が出力されると、前記制御部は前記開閉駆動部に命令を出力し前記開閉駆動部に前記２つの筐体を開状態から閉状態へとさせながら電子機器の終了処理を実行することを特徴としている。
【０００９】
このような構成によれば、電源スイッチとは異なる操作手段によるオペレーティングシステム操作によって電子機器に終了処理をさせる場合に、自動的に２つの筐体が開状態から閉状態となるので、手動による煩わしさがなくなり利便性が高い。
【００１０】
また、本発明の電子機器は、回動自在に連結される２つの筐体と、前記２つの筐体を開閉させる開閉駆動部と、制御部と、を備え、
操作手段の操作によりオペレーティングシステムから前記制御部に対してスタンバイモード移行命令が出力されると、前記制御部は前記開閉駆動部に命令を出力し前記開閉駆動部に前記２つの筐体を開状態から閉状態へとさせながらスタンバイモード移行処理を実行することを特徴としている。
【００１１】
このような構成によれば、オペレーティングシステム操作によって電子機器をスタンバイモードへ移行させる場合に、自動的に２つの筐体が開状態から閉状態となるので、手動による煩わしさがなくなり利便性が高い。
【００１２】
また、本発明の電子機器は上記のいずれかの構成において、表示部を備え、前記制御部が前記２つの筐体を閉状態にするか否かをユーザに選択させるための表示を前記表示部にさせ、閉状態にすることが選択されてから、前記制御部は前記開閉駆動部に前記２つの筐体を開状態から閉状態へとさせることを特徴としている。
【００１３】
このような構成によれば、筐体にユーザの指が挟まれるなどの不慮の事故を未然に防止することができる。
【００１４】
また、本発明の電子機器は、回動自在に連結される２つの筐体と、前記２つの筐体を開閉させる開閉駆動部と、制御部と、を備え、
操作手段の操作によりオペレーティングシステムから前記制御部に対してスタンバイモード解除命令が出力されると、前記制御部は前記開閉駆動部に命令を出力し前記開閉駆動部に前記２つの筐体を閉状態から開状態へとさせながらスタンバイモード解除処理を実行することを特徴としている。
【００１５】
このような構成によれば、操作手段の操作によって電子機器のスタンバイモードを解除させる場合に、自動的に２つの筐体が閉状態から開状態となるので、手動による煩わしさがなくなり利便性が高い。
【発明の効果】
【００１６】
本発明の電子機器によれば、従来よりも筐体の開閉についての利便性を向上させることができる。
【発明を実施するための最良の形態】
【００１７】
以下、本発明の実施形態について図面を参照して説明する。なお、本実施形態では、電子機器の一例であるノート型ＰＣ（Ｐｅｒｓｏｎａｌ  Ｃｏｍｐｕｔｅｒ）に本発明を適用した場合について説明する。
【００１８】
図１は、本発明に係るノート型ＰＣの全体斜視図であり、図１（ａ）は開状態での全体斜視図、図１（ｂ）は閉状態での全体斜視図である。
【００１９】
図１に示すように、本発明に係るノート型ＰＣは、第１筐体１１および第２筐体１２を備え、これらはヒンジ部１３で回動自在に連結されており、開状態および閉状態をとることができる。
【００２０】
第１筐体１１は全体が略直方体状の平板状に形成され、第１筐体１１および第２筐体１２が閉状態で第２筐体１２に対向する第１筐体１１が有する面に表示面が露出するよう表示パネル１４が第１筐体１１に設けられる。表示パネル１４は、ＬＣＤ（Ｌｉｑｕｉｄ  Ｃｒｙｓｔａｌ  Ｄｉｓｐｌａｙ：液晶ディスプレイ）、ＥＬ（Ｅｌｅｃｔｒｏ  Ｌｕｍｉｎｅｓｃｅｎｃｅ：エレクトロルミネッセンス）、ＰＤＰ（Ｐｌａｓｍａ  Ｄｉｓｐｌａｙ  Ｐａｎｅｌ：プラズマディスプレイ）などの平面型の表示素子で構成され、第１筐体１１内部に設けられる不図示の回路基板と電気的に接続され、その状態で回路基板に設けられたＬＳＩなどの駆動素子によって駆動され、各種情報を電気光学的に表示する。
【００２１】
第２筐体１２は第１筐体１１と同様の形状および大きさに形成され、第１筐体１１および第２筐体１２が閉状態で第１筐体１１に対向する第２筐体１２が有する面に各キー表面が露出するようキーボード１５が第２筐体１２に設けられる。キーボード１５は、各種機能キーや各種文字キーなどから構成され、第２筐体１２内部に設けられる不図示の回路基板と電気的に接続され、その状態で各キー操作に応じたデータを出力する。
【００２２】
ヒンジ部１３は、第１筐体１１と第２筐体１２との境界に配置された略円筒状の部分であり、その内部には、第１筐体１１内部に設けられる不図示の回路基板と第２筐体１２内部に設けられる不図示の回路基板とを電気的に接続するためのフレキシブル配線基盤が設けられる。また、ヒンジ部１３の内部には、ヒンジ部１３を駆動する不図示のモータや、第１筐体１１および第２筐体１２の開閉状態を検出し検出データを出力する不図示の開閉検出部も設けられる。開閉検出部は例えばロータリーエンコーダなどで構成すればよい。
【００２３】
また、電源スイッチ１６は、表示パネル１４が設けられる面と反対側の第１筐体１１が有する面に押圧面が露出するよう第１筐体１１に設けられ、第１筐体１１および第２筐体１２が閉状態でユーザが視認可能である。また、第２筐体１２の側面にはＵＳＢ（Ｕｎｉｖｅｒｓａｌ  Ｓｅｒｉａｌ  Ｂｕｓ）端子１７が設けられ、このＵＳＢ端子１７にマウス１８が接続される。
【００２４】
また、図２に、本発明に係るノート型ＰＣの概略ブロック構成図を示す。
【００２５】
ＣＰＵ（Ｃｅｎｔｒａｌ  Ｐｒｏｃｅｓｓｉｎｇ  Ｕｎｉｔ：中央演算処理装置）２１は、第２筐体１２内部に設けられる不図示の回路基板に設けられる。
【００２６】
表示部２２は、前述の表示パネル１４および駆動素子を有し、ＣＰＵ２１から入力される表示用データに基づき画像を表示する。電源スイッチ２３は前述の電源スイッチ１６に対応し、ＣＰＵ２１は電源スイッチ２３の操作を検知する。キーボード２４は前述のキーボード１５に対応し、操作に応じたデータをＣＰＵ２１に出力する。ヒンジ駆動部２５は、前述のヒンジ部１３の内部に設けられるモータおよびモータドライバを有し、ＣＰＵ２１からの命令に基づきヒンジ部１３を駆動し、第１筐体１１および第２筐体１２を開閉させる。開閉検出部２６は、前述のようにヒンジ部１３の内部に設けられ、第１筐体１１および第２筐体１２の開閉状態を検出し検出データをＣＰＵ２１に出力する。
【００２７】
ＲＡＭ２７は、ＣＰＵ２１が実行するオペレーティングシステムの格納領域やＣＰＵ２１のワーク領域を提供するメモリである。ＲＯＭ２８は、ＣＰＵ２１が実行する各種制御プログラムが格納されるメモリである。
【００２８】
また、周辺Ｉ／Ｆ回路２９は、前述のＵＳＢ端子１７やＲＳ−２３２Ｃ端子など外部機器と接続するための端子が搭載される回路であり、マウス１８が出力する操作に応じたデータは周辺Ｉ／Ｆ回路２９を介してＣＰＵ２１に入力される。
【００２９】
以上のような構成の本発明に係るノート型ＰＣの動作について以下説明する。
【００３０】
ノート型ＰＣの電源がオフで、第１筐体１１および第２筐体１２が閉状態の場合に電源スイッチ２３が操作されると、ＣＰＵ２１はこれを検知し、ヒンジ駆動部２５に命令を出力し、第１筐体１１および第２筐体１２を閉状態から開状態にさせるようヒンジ部１３をヒンジ駆動部２５に駆動させながら、ノート型ＰＣの起動処理を実行する。
【００３１】
また、ノート型ＰＣの電源がオンで、第１筐体１１および第２筐体１２が開状態の場合に電源スイッチ２３が操作されると、ＣＰＵ２１はこれを検知し、ヒンジ駆動部２５に命令を出力し、第１筐体１１および第２筐体１２を開状態から閉状態にさせるようヒンジ部１３をヒンジ駆動部２５に駆動させながら、ノート型ＰＣの終了処理を実行する。
【００３２】
また、本発明の特徴である電源スイッチとは異なる操作手段によるオペレーティングシステム操作によって終了処理がされる場合の処理について、図３のフローチャートに基づいて以下説明する。
【００３３】
キーボード１５またはマウス１８の操作によりオペレーティングシステムからＣＰＵ２１に対してノート型ＰＣの終了命令が出力されると、図３のフローチャートが開始される。
【００３４】
まず、ステップＳ３１で、ＣＰＵ２１は開閉検出部２６から入力される検出データに基づき第１筐体１１および第２筐体１２が開状態であるか閉状態であるかを判定する。ここで閉状態であると判定されると、ステップＳ３５に進み、ＣＰＵ２１はノート型ＰＣの終了処理を実行してフローが終了する。
【００３５】
また、ステップＳ３１で開状態であると判定されると、ステップＳ３２に進み、ＣＰＵ２１は表示用データを表示部２２に出力し、第１筐体１１および第２筐体１２を閉状態にするか否かをユーザに選択させるためのダイアログボックスが表示部２２の表示パネル１４に表示される。
【００３６】
ここで、キーボード１５またはマウス１８の操作により閉状態にすることが選択されると（ステップＳ３３のＹ）、ステップＳ３４に進み、ＣＰＵ２１は、ヒンジ駆動部２５に命令を出力し、第１筐体１１および第２筐体１２を開状態から閉状態にさせるようヒンジ部１３をヒンジ駆動部２５に駆動させながら、ノート型ＰＣの終了処理を実行しフローが終了する。
【００３７】
また、ステップＳ３３で、キーボード１５またはマウス１８の操作により閉状態にしないことが選択されると（ステップＳ３３のＮ）、ステップＳ３５に進み、ＣＰＵ２１はノート型ＰＣの終了処理を実行してフローが終了する。
【００３８】
これによれば、電源スイッチとは異なる操作手段によるオペレーティングシステム操作によりノート型ＰＣを終了させる場合に、自動的に筐体が開状態から閉状態となるので手動による煩わしさがなく利便性が高い。また、ダイアログボックスの表示によりユーザに筐体を閉状態にすることを選択させてから筐体が閉状態となるので、筐体に指が挟まれるなどの不慮の事故を未然に防止することができる。
【００３９】
次に、本発明の他の特徴であるオペレーティングシステム操作によってスタンバイモード移行処理がされる場合の処理について、図４のフローチャートに基づいて以下説明する。
【００４０】
キーボード１５またはマウス１８の操作によりオペレーティングシステムからＣＰＵ２１に対してスタンバイモード移行命令が出力されると、図４のフローチャートが開始される。ここでスタンバイモードとは、ノート型ＰＣが省電力状態となるモードである。
【００４１】
まず、ステップＳ４１で、ＣＰＵ２１は開閉検出部２６から入力される検出データに基づき第１筐体１１および第２筐体１２が開状態であるか閉状態であるかを判定する。ここで閉状態であると判定されると、ステップＳ４５に進み、ＣＰＵ２１はスタンバイモード移行処理を実行してフローが終了する。
【００４２】
また、ステップＳ４１で開状態であると判定されると、ステップＳ４２に進み、ＣＰＵ２１は表示用データを表示部２２に出力し、第１筐体１１および第２筐体１２を閉状態にするか否かをユーザに選択させるためのダイアログボックスが表示部２２の表示パネル１４に表示される。
【００４３】
ここで、キーボード１５またはマウス１８の操作により閉状態にすることが選択されると（ステップＳ４３のＹ）、ステップＳ４４に進み、ＣＰＵ２１は、ヒンジ駆動部２５に命令を出力し、第１筐体１１および第２筐体１２を開状態から閉状態にさせるようヒンジ部１３をヒンジ駆動部２５に駆動させながら、スタンバイモード移行処理を実行しフローが終了する。
【００４４】
また、ステップＳ４３で、キーボード１５またはマウス１８の操作により閉状態にしないことが選択されると（ステップＳ４３のＮ）、ステップＳ４５に進み、ＣＰＵ２１はスタンバイモード移行処理を実行してフローが終了する。
【００４５】
これによれば、オペレーティングシステム操作によりノート型ＰＣをスタンバイモードに移行させる場合に、自動的に筐体が開状態から閉状態となるので手動による煩わしさがなく利便性が高い。また、ダイアログボックスの表示によりユーザに筐体を閉状態にすることを選択させてから筐体が閉状態となるので、筐体に指が挟まれるなどの不慮の事故を未然に防止することができる。
【００４６】
次に、本発明の他の特徴であるスタンバイモード解除処理がされる場合の処理について、図５のフローチャートに基づいて以下説明する。
【００４７】
キーボード１５またはマウス１８の操作によりオペレーティングシステムからＣＰＵ２１に対してスタンバイモード解除命令が出力されると、図５のフローチャートが開始される。
【００４８】
まず、ステップＳ５１で、ＣＰＵ２１は開閉検出部２６から入力される検出データに基づき第１筐体１１および第２筐体１２が開状態であるか閉状態であるかを判定する。ここで開状態であると判定されると、ステップＳ５３に進み、ＣＰＵ２１はスタンバイモード解除処理を実行してフローが終了する。
【００４９】
また、ステップＳ５１で閉状態であると判定されると、ステップＳ５２に進み、ＣＰＵ２１は、ヒンジ駆動部２５に命令を出力し、第１筐体１１および第２筐体１２を閉状態から開状態にさせるようヒンジ部１３をヒンジ駆動部２５に駆動させながら、スタンバイモード解除処理を実行しフローが終了する。
【００５０】
これによれば、操作手段の操作によりスタンバイモードを解除させる場合に、自動的に筐体が閉状態から開状態となるので手動による煩わしさがなく利便性が高い。
【００５１】
なお、上記実施形態では電子機器としてノート型ＰＣを例として説明したが、本発明はこれ以外にも電子辞書、ＰＤＡ（Ｐｅｒｓｏｎａｌ  Ｄｉｇｉｔａｌ  Ａｓｓｉｓｔａｎｔ：個人情報端末、携帯情報端末）、携帯電話機などにも適用可能である。
【図面の簡単な説明】
【００５２】
【図１】は、（ａ）本発明に係るノート型ＰＣの開状態での全体斜視図、（ｂ）本発明に係るノート型ＰＣの閉状態での全体斜視図である。
【図２】は、本発明に係るノート型ＰＣの概略ブロック構成図である。
【図３】は、本発明に係るノート型ＰＣの終了処理時に関するフローチャートである。
【図４】は、本発明に係るノート型ＰＣのスタンバイモード移行処理時に関するフローチャートである。
【図５】は、本発明に係るノート型ＰＣのスタンバイモード解除処理時に関するフローチャートである。
【符号の説明】
【００５３】
１１    第１筐体
１２    第２筐体
１３    ヒンジ部
１４    表示パネル
１５    キーボード
１６    電源スイッチ
１７    ＵＳＢ端子
１８    マウス
２１    ＣＰＵ
２２    表示部
２３    電源スイッチ
２４    キーボード
２５    ヒンジ駆動部
２６    開閉検出部
２７    ＲＡＭ
２８    ＲＯＭ
２９    周辺Ｉ／Ｆ回路
【図１】
2008210181.tif 000003
【図２】
2008210181.tif 000004
【図３】
2008210181.tif 000005
【図４】
2008210181.tif 000006
【図５】
2008210181.tif 000007